(57)【特許請求の範囲】
【請求項１】
一定間隔を置いて垂直に平行して配置された複数枚の中間帯状小巾板と、該中間帯状小巾板の表側に一定間隔を置いて斜めに平行して配置された複数枚の表側帯状小巾板と、前記中間帯状小巾板の裏側に一定間隔を置いて斜めに平行して配置された複数枚の裏側帯状小巾板と、前記中間帯状小巾板の上端及び下端を表裏両側から挟むようにして水平に配置された上部支持板及び下部支持板とからなり接着剤で接合一体化してなることを特徴とする壁仕上げ用下地パネル。
【請求項２】
前記表側帯状小巾板は、前記中間帯状小巾板の表側に４５°の角度で一定間隔を置いて前記中間帯状小巾板の全体巾に斜めに平行して複数枚配置され、前記裏側帯状小巾板は、前記中間帯状小巾板の裏側に前記表側帯状小巾板と交差するように４５°の角度で一定間隔を置いて前記中間帯状小巾板の全体巾に斜めに平行して複数枚配置されることを特徴とする請求項１記載の壁仕上げ用下地パネル。
【請求項３】
前記上部支持板及び下部支持板を固定している中間帯状小巾板間には、板厚巾の隙間が形成されており、この隙間を経由して内部と外気の流通が行われ、この隙間から入った空気は縦方向の中間帯状小巾板間を垂直に流通すると共に、斜めに固定されている表側帯状小巾板間又は裏側帯状小巾板間の隙間を蛇行するように斜行して流通することを特徴とする請求項１記載の壁仕上げ用下地パネル。
【発明の詳細な説明】
【技術分野】
【０００１】
本発明は、木造建築物の柱間に取り付けて使用される壁仕上げ用下地パネルに関するものである。
【背景技術】
【０００２】
木造建築物の壁面の仕上げには、壁面に沿って取り付けた下地構成材の表面をモルタルやサイディング或いは漆喰や土塗りなどの表面仕上げ材で覆って仕上げる工法が一般的に採用されている。
従来、土塗り壁下地に使用する壁下地板として、薄い小巾板を多数の正方形の角孔を明け、小巾板を上下に斜めに重ね合わせて、接着剤と釘打併用で貼り合わせて製作した土壁用小舞代用壁下地板が知られている（特許文献１を参照）。
この公知技術は、小巾板を上下に斜めに重ね合わせた結合で笊籠の目の様に出来た非常に丈夫で、且つ壁体の筋交いの補強の補助ともなり、建物が構造上強固になるものである。
【０００３】
また、表側下地板と裏側下地板を構成する帯状小巾板の交差部において互いに連通しつつ、大きな隙間の容積を有することによって、当該隙間に位置する空気を上下方向及び左右方向に移動させつつスムースに通気させ、またこの隙間に漏水した水分を速やかに流れ落とさせて容易に排除することが可能な壁仕上用下地構造が知られている（特許文献２を参照）。
この公知技術は、表側下地板と裏側下地板を互いに交差するように相反する方向に傾斜させるとともに、該交差部において上記表側下地板と裏側下地板とを接合してなる壁仕上用下地パネルを、建物の外壁面に沿って設けた柱や間柱等の構造躯体に取り付け、且つ取り付けた前記壁仕上用下地パネルの下端部には、基礎との間に介在し、互いに交差する異相方向に傾斜して配設された隙間に通気を流入させる通気水切を設け、該通気水切から流入した通気を、前記壁仕上用下地パネルの隙間に沿って上昇させて排出させるものである。
【０００４】
また、柱間に取り付けた後、表面側に壁の構成材を取付ける作業を容易且つ精度良く行うことを可能とすると共に、十分な通気と強度を得ることのできる壁仕上用下地パネルが知られている（特許文献３を参照）。
この公知技術は、建築物の壁仕上用下地材として柱間に取り付けて使用される、間隔をおいて平行に配置された複数の表側帯状小巾板と、間隔をおいて平行に配置された複数の裏側帯状小巾板とを互いに交差させた状態で接合一体化してなる壁仕上用下地パネルであって、前記複数の表側帯状小巾板は水平方向あるいは垂直方向に設置され、且つ前記複数の裏側帯状小巾板は前記表側帯状小巾板に対して３０〜６０度の角度で傾斜して設置された状態で、柱間に取り付けられる壁仕上用下地パネルである。
【先行技術文献】
【特許文献】
【０００５】
【特許文献１】実開昭６１−７１７３０号公報
【特許文献２】特許第３１６２６７６号公報
【特許文献３】特許第４６７２９２１号公報
【発明の概要】
【発明が解決しようとする課題】
【０００６】
本発明は、木造建築物の柱間に取り付けて使用される、パネル表面側に外壁材を取付ける作業を容易且つ精度良く行うことができると共に、十分な通気と強度を得ることができる壁仕上げ用下地パネルを提供することを目的とする。
【課題を解決するための手段】
【０００７】
本発明の壁仕上げ用下地パネルは、一定間隔を置いて垂直に平行して配置された複数枚の中間帯状小巾板と、該中間帯状小巾板の表側に一定間隔を置いて斜めに平行して配置された複数枚の表側帯状小巾板と、前記中間帯状小巾板の裏側に一定間隔を置いて斜めに平行して配置された複数枚の裏側帯状小巾板と、前記中間帯状小巾板の上端及び下端を表裏両側から挟むようにして水平に配置された上部支持板及び下部支持板とからなり接着剤で接合一体化してなるものである。
前記表側帯状小巾板は、前記中間帯状小巾板の表側に４５°の角度で一定間隔を置いて前記中間帯状小巾板の全体巾に斜めに平行して複数枚配置され、前記裏側帯状小巾板は、前記中間帯状小巾板の裏側に前記表側帯状小巾板と交差するようには４５°の角度で一定間隔を置いて前記中間帯状小巾板の全体巾に斜めに平行して複数枚配置される。
【発明の効果】
【０００８】
本発明の壁仕上げ用下地パネルによれば、壁仕上げ用下地パネルを柱間に取り付けた後に、パネル表面側に外壁材を取付ける作業を容易且つ精度良く行うことができると共に、十分な通気と強度を得ることができる。
【図面の簡単な説明】
【０００９】
【図１】本発明の壁仕上げ用下地パネルの斜視図である。
【図２】本発明の壁仕上げ用下地パネルの（ａ）正面図、（ｂ）側面図、（ｃ）底面図である。
【図３】本発明の壁仕上げ用下地パネルの上段の説明図である。
【図４】本発明の壁仕上げ用下地パネルの中段の説明図である。
【図５】本発明の壁仕上げ用下地パネルの下段の説明図である。
【図６】本発明の壁仕上げ用下地パネルを用いた壁構造の構成を示す一部破断斜視図である。
【図７】試験体１の荷重―変形角曲線のグラフ図である。
【図８】試験体２の荷重―変形角曲線のグラフ図である。
【図９】試験体３の荷重―変形角曲線のグラフ図である。
【発明を実施するための形態】
【００１０】
本発明の壁仕上げ用下地パネルの一実施例を添付図面に基づいて、以下に説明する。
図１の斜視図に示すように、本発明の壁仕上げ用下地パネルは、一定間隔を置いて垂直に平行して配置された複数枚の中間帯状小巾板１と、該中間帯状小巾板１の表側に一定間隔を置いて斜めに平行して配置された複数枚の表側帯状小巾板２と、前記中間帯状小巾板１の裏側に一定間隔を置いて斜めに平行して配置された複数枚の裏側帯状小巾板３と、前記中間帯状小巾板１の上端及び下端を表裏両側から挟むようにして水平に配置された上部支持板４及び下部支持板５とからなり接着剤で接合一体化してなる。
【００１１】
図２の（ａ）正面図、（ｂ）側面図、（ｃ）底面図に示すように、前記中間帯状小巾板１は、一定間隔を置いて垂直に平行して５枚配置され、前記表側帯状小巾板２は、前記中間帯状小巾板１の表側に４５°の角度で一定間隔を置いて前記中間帯状小巾板１の全体巾に斜めに平行して１７枚配置され、前記裏側帯状小巾板３は、前記中間帯状小巾板１の裏側に前記表側帯状小巾板２と交差するように４５°の角度で一定間隔を置いて前記中間帯状小巾板１の全体巾に斜めに平行して１７枚配置される。
前記上部支持板４及び下部支持板５は、前記中間帯状小巾板１の上端及び下端を表裏両側から挟むようにして水平に配置され、したがって、前記表側帯状小巾板２及び裏側帯状小巾板３の先端及び下端は、前記上部支持板４及び下部支持板５に当接するように配置される。
【００１２】
図３の説明図に示すように、本発明の壁仕上げ用下地パネルの上段（パネル積層構造の表面側に当たる部分）は、前記表側帯状小巾板２、前記上部支持板４及び下部支持板５とからなり、前記表側帯状小巾板２は、前記中間帯状小巾板１の全体巾、すなわち５枚に接合される長尺小巾板６が９枚、前記中間帯状小巾板１の４枚に接合される短尺小巾板７が２枚、前記中間帯状小巾板１の３枚に接合される短尺小巾板８が２枚、前記中間帯状小巾板１の２枚に接合される短尺小巾板９が２枚、前記中間帯状小巾板１の１枚に接合される短尺小巾板１０が２枚の合計１７枚から構成される。
なお、壁仕上げ用下地パネルの長さを変える場合には、前記長尺小巾板６の枚数を増減することで対応することができる。
【００１３】
図４の説明図に示すように、本発明の壁仕上げ用下地パネルの中段（パネル積層構造の中間に当たる部分）は、前記中間帯状小巾板１が、一定間隔を置いて垂直に平行して５枚配置され、前記中間帯状小巾板１の上端及び下端には図３に示す上部支持板４及び下部支持板５が水平に接合され、したがって、前記表側帯状小巾板２及び裏側帯状小巾板３の先端及び下端は、前記上部支持板４及び下部支持板５に当接するように配置される。
【００１４】
図５の説明図に示すように、本発明の壁仕上げ用下地パネルの下段（パネル積層構造の裏面側に当たる部分）は、前記裏側帯状小巾板３、前記上部支持板４及び下部支持板５とからなり、前記裏側帯状小巾板３は、前記中間帯状小巾板１の全体巾、すなわち５枚に接合される長尺小巾板６が９枚、前記中間帯状小巾板１の４枚に接合される短尺小巾板７が２枚、前記中間帯状小巾板１の３枚に接合される短尺小巾板８が２枚、前記中間帯状小巾板１の２枚に接合される短尺小巾板９が２枚、前記中間帯状小巾板１の１枚に接合される短尺小巾板１０が２枚の合計１７枚から構成される。
なお、壁仕上げ用下地パネルの長さを変える場合には、前記長尺小巾板６の枚数を増減することで対応することができる。
【００１５】
本発明の壁仕上げ用下地パネルをスギ材から形成したスギ三層パネルとし、このスギ三層パネルの面内せん断試験を行い、その性能を確認した。
＜試験体＞
スギ三層パネル（９１０×２７３０×２７）  ３体
＜試験方法＞
財団法人日本住宅・木材技術センター「木造軸組工法住宅の許容応力度設計（２００８年版）６章  試験方法と評価方法  ６．３鉛直構面及び水平構面の剛性と許容せん断耐力を算定するための試験  ６．３．３試験体の作製及び設置方法（１）鉛直構面の面内せん断試験」に準ずる。
＜試験機関＞
財団法人秋田県木材加工推進機構
【００１６】
＜試験結果＞
各試験体の荷重―変形角曲線は、図７〜図９に示したとおりであった。
「木造軸組工法住宅の許容応力度設計（２００８年版）６章  試験方法と評価方法  ６．３鉛直構面及び水平構面の剛性と許容せん断耐力を算定するための試験  ６．３．５評価方法[解説]」にしたがって、短期基準せん断耐力、短期許容せん断耐力Ｐａ、および壁倍率を算出した。
Ｖ５０＝Ｖａｖｇ×（１−ＣＶ・ｋ）
Ｖ５０：信頼水準７５％の５０％下側許容限界値
Ｖａｖｇ：評価耐力の平均値
ＣＶ：評価耐力の変動係数
ｋ：定数０．４７１（ｎ＝３）
Ｐ０＝ｍｉｎ（[Py]50,[Pu×(0.2×√２μ-１)]50,[Pmax×2/3]50,[P120]50）
Ｐ０：短期基準せん断耐力
[P]50：信頼水準７５％の５０％の下限値
Ｐａ＝Ｐ０×α
Ｐａ：短期許容せん断耐力
α：耐力に影響を及ぼす係数、ただしα＝１とした。
壁倍率＝Ｐａ×（１／１．９６）×（１／Ｌ）
１．９６：壁倍率＝１を算定する数値（ｋＮ／ｍ）
Ｌ：壁の長さ（ｍ）
【００１７】
各試験体の短期基準せん断耐力Ｐ０、短期許容せん断耐力Ｐａ、壁倍率算定値の結果を表１に示す。
【００１８】
【表１】
0005914165.tif 000002
【００１９】
次に、本発明の壁仕上げ用下地パネルを用いた壁構造を添付図面に基づいて、以下に説明する。
図６の一部破断斜視図に示すように、木造建築物のコンクリート基礎１１に土台１２を固定し、該土台１２には柱１３が立設され、該柱１３間が広い場合には間柱１４を設ける。そして、本発明の壁仕上げ用下地パネルを前記柱１３間に釘又はビスにより固定するには、前記柱１３に沿って本発明の壁仕上げ用下地パネルを仮固定しつつ、等間隔に中間帯状小巾板１及び表側帯状小巾板２又は裏側帯状小巾板３の積層部分を釘又はビスにより一体に柱１３に固定する。なお、間柱１４は、柱１３間の中間に位置するので、同様に等間隔に中間帯状小巾板１及び表側帯状小巾板２又は裏側帯状小巾板３の積層部分を釘又はビスにより一体に間柱１４に固定することができる。
次に、本発明の壁仕上げ用下地パネルを前記土台１２に固定するには、等間隔に中間帯状小巾板１、上部支持板４及び下部支持板５の３層部分を釘又はビスにより一体に土台１２に固定する。
最後に、本発明の壁仕上げ用下地パネルの裏面側には防水シート１５及び表面側には外壁材１６を重ねて釘又はビスにより固定する。
【００２０】
このようにして、柱１３間に固定された本発明の壁仕上げ用下地パネルは、土台１２及び柱１３に釘又はビスにより一体に強固に固定されており、前記上部支持板４及び下部支持板５を固定している中間帯状小巾板１，１間には、板厚巾の隙間が形成されており、この隙間を経由して壁仕上げ用下地パネル内部に外気の流通が行われ、下方から入った空気は縦方向の中間帯状小巾板１，１間を垂直に流通すると共に、斜めに固定されている表側帯状小巾板２，２間又は裏側帯状小巾板３，３間の隙間を蛇行するように斜行して流通する。
また、本発明の壁仕上げ用下地パネルは、土台１２に中間帯状小巾板１、上部支持板４及び下部支持板５の３層部分を等間隔に一体に固定されているので、強度が優れている。
【符号の説明】
【００２１】
１  中間帯状小巾板
２  表側帯状小巾板
３  裏側帯状小巾板
４  上部支持板
５  下部支持板
６  長尺小巾板
７  短尺小巾板
８  短尺小巾板
９  短尺小巾板
１０  短尺小巾板
１１  コンクリート基礎
１２  土台
１３  柱
１４  間柱
１５  防水シート
１６  外壁材
【図１】
0005914165.tif 000003
【図２】
0005914165.tif 000004
【図３】
0005914165.tif 000005
【図４】
0005914165.tif 000006
【図５】
0005914165.tif 000007
【図６】
0005914165.tif 000008
【図７】
0005914165.tif 000009
【図８】
0005914165.tif 000010
【図９】
0005914165.tif 000011